(57)【特許請求の範囲】
【請求項１】
車両本体の後部に、略水平面内を左右に揺動する揺動ノズルケースを設け、該揺動ノズルケースに、後方に向かって開口する多数のノズルを取り付け、該揺動ノズルケースを左右に揺動しながら該ノズルより撒水するようにした撒水車であって、上記揺動ノズルケースは、略水平面内を左右に互いに独立して揺動する上部揺動ノズルケースと下部揺動ノズルケースとかなり、夫々の揺動ノズルケースに、後方に向かって開口する多数のノズルを取り付け、各揺動ノズルケースを左右に揺動しながら各ノズルより撒水するようにした撒水車。
【請求項２】
上部揺動ノズルケースと下部揺動ノズルケースは夫々上部側ホースと下部側ホースとを介して撒水タンクに連結され、該両ホースの何れか一方のホースに開閉コックを取り付けてなる請求項１記載の撒水車。
【請求項３】
上部揺動ノズルケースおよび下部揺動ノズルケースは、支持ケーシングおよびその前後部の支持ステーを介してノズルの向きが、その略水平面内で上向き又は下向きに調整可能になるよう支持されてなる請求項１または２記載の撒水車。
【発明の詳細な説明】
【０００１】
【発明の属する技術分野】
本発明は、ゴルフ場などにおいて、薬液や水の散布などのための撒水車に関する。
【０００２】
【従来の技術】
一般の撒水車は、接地面近くに噴水ノズルを接地面に向かって設け、これより接地面に向かって強力に撒水する構造となっている。
【０００３】
これがために、接地面に局部的に撒水されることになり、接地面全域に均等に撒水され難いという難点があった。
【０００４】
また噴射ノズルにより四方に噴霧状に撒水するようにした撒水車も使用されているが、噴霧状に撒水されると、特に夏季では接地面である被撒水面に充分に薬液や水が浸透する前に蒸発していまうという難点もあった。
【０００５】
【発明が解決しようとする課題】
そこで、本発明では、接地面全域に均等に撒水され、且つ夏季においても被撒水面に薬液や水が充分に浸透されるようにした撒水車を提案することを目的とするものである。
【０００６】
【課題を解決するための手段】
上記目的を達成するための本発明の構成を実施の形態に対応する図面に基づいて説明すると、請求項１記載の発明は、車両本体１の後部に、水平面内を左右に揺動する揺動ノズルケース２を設け、該揺動ノズルケース２に、後方に向かって開口する多数のノズル３を取り付け、該揺動ノズルケース２を左右に揺動しながら該ノズル３より撒水するようにした撒水車であって、上記揺動ノズルケース２は、水平面内を左右に互いに独立して揺動する上部揺動ノズルケース２Ａと下部揺動ノズルケース２Ｂとかなり、それぞれの揺動ノズルケース２Ａ，２Ｂに、後方に向かって開口する多数のノズル３Ａ，３Ｂを取り付け、各揺動ノズルケース２Ａ，２Ｂを左右に揺動しながら各ノズル３Ａ，３Ｂより撒水するようにしたこと特徴とするものである。
【０００８】
また請求項２に記載の発明は、上部揺動ノズルケース２Ａと下部揺動ノズルケース２Ｂは夫々上部側ホース４と下部側ホース５とを介して撒水タンク６に連結され、両ホース４，５のうち何れか一方のホース５に開閉コック７を取り付けてなる請求項１記載の構成よりなることを特徴とするものである。
【０００９】
また請求項３に記載の発明は、上部揺動ノズルケース２Ａ及び下部揺動ノズルケース２Ｂは、支持ケーシング８及びその前後部の支持ステー９，１０を介して該ノズル３Ａ，３Ｂの向きが、その略水平面内で上向き又は下向きに調整可能になるよう支持されてなる請求項１または２記載の構成よりなるものである。
【００１０】
【発明の実施の形態】
以下、本発明の実施の形態を図面に基づいて説明すると、図１は、ゴルフ場において使用されるのに適した撒水車を示す。即ち、車両本体１を支持する前後の車輪１１，１２は、図１〜図３に示すように、発泡ウレタンなどの発泡合成樹脂等の車両本体１の幅方向に広い幅広弾性体によって形成されている。このよう前後の車輪を幅広の弾性体によって形成することによって、ゴルフ場特有の芝生の上を撒水車が走行する際に、車輪の軌跡の残留、即ちわだち（凹溝）の発生を可及的に防止することができる。
【００１１】
車両本体１の後部には撒水タンク６が登載され、これに撒水ポンプ１３および該ポンプによって外部に導水される導水管１４がつながれ、該導水管１４に上部側ホース４と下部側ホース５とが分岐して連結される。
【００１２】
撒水タンク６の後部には、撒水用の支持ケーシング８が取り付けられるが、該支持ケーシング８は、前部支持ステー９と後部支持ステー１０とによって枢軸１６を中心に該ケーシング８の向きが水平方向から上下に調整できるように支持されている。即ち、前部支持ステー９は支持片９ａと該支持片９ａが嵌合する支持鞘９ｂと両者を固定するレバー９ｃとからなり、また後部支持ステー１０は撒水タンク６を利用してこれより固定的に突設されており、上記のように前部支持ステー９の支持片９ａと支持鞘９ｂとの嵌合位置をレバー９ｃで固定するときに、同時に後部支持ステー１０のレバー１０ａによって枢軸１６に枢着される支持ケーシング８を水平方向あるいはそれより若干上向き又は下向きに固定することができるようになっている。
【００１３】
図４〜図６に示すように、支持ケーシング８は、平面形状が略扇形をなし（図６）、またその後面側に、即ち車両本体１の後部方向に向かって開口部１７が形成されている（図４、図５）。そして該支持ケーシング８の内部に同じく平面形状が扇形をなして、内部に撒水用水が流通する揺動ノズルケース２が揺動支軸１８を中心に水平方向に揺動可能に取り付けられている。そして揺動ノズルケース２に前記支持ケーシング８の開口部１７より後方に臨出するノズル３が取り付けられている。
【００１４】
より正確には、支持ケーシング８の内部に軸受１９を介して取り付けられる揺動ノズルケース２は揺動支軸１８Ａに支持される上部揺動ノズルケース２Ａと、同じく揺動支軸１８Ｂに支持される下部揺動ノズルケース２Ｂとからなり、夫々の後面にノズル３Ａ，３Ｂが取り付けられている。また上部揺動ノズルケース２Ａはその上面に上部側ホース４が連結され、下部揺動ノズルケース２Ｂはその下面に下部側ホース５が連結されている。
【００１５】
支持ケーシング８の前面にはカバーケーシング２０が固着され、該カバーケーシング２０および支持ブラケット２１を介して支持ケーシング８にモーター２２が固定され、その回転軸２２ａにその回転中心よりｔだけ偏心した偏心軸２３が一体的に突設され、該偏心軸２３に上部揺動ロッド２４Ａと下部揺動ロッド２４Ｂが同軸に枢支連結され、上部揺動ロッド２４Ａは、図６に示すようにその図中左寄りの位置で上部揺動ノズルケース２Ａに枢着され、下部揺動ロッド２４Ｂは、図中右寄りの位置で下部揺動ノズルケース２Ｂに枢着される。
【００１６】
従って、モーター２２の駆動によって偏心軸２３の回転により上部揺動ロッド２４Ａに枢支連結される上部揺動ノズルケース２Ａと、下部揺動ロッド２４Ｂに枢支連結される下部揺動ノズルケース２Ｂとは、揺動支軸１８を支点として図６の矢印で示すように交互に左右に往復揺動することになる。そしてその揺動速度は、モーター２２が変速可能であれば、当然にノズル３Ａ，３Ｂの口径あるいは流速等を勘案して、最適の状態に調整することも可能である。
【００１７】
本発明は以上の構成からなるが、これを使用する際には、撒水車をゴルフ場を走行させながら、撒水ポンプ１３とモーター２２を駆動させることによって撒水タンク６内の薬液等は、導水管１４を通って上部側ホース４と下部側ホース５とに分岐されて上部揺動ノズルケース２Ａと下部揺動ノズルケース２Ｂに送り出され、両ノズルケース２Ａ，２Ｂのそれぞれのノズル３Ａ，３Ｂより撒水されることになる。
【００１８】
そして、この撒水の際に、上部および下部揺動ノズルケース２Ａ、２Ｂは、略水平面内を左右に揺動されるため、その後面のノズル３Ａ，３Ｂより噴出される撒水は、図７に示すように、その水滴ｗがマクロ的に見れば蛇行状に噴出されることになり、これがために被撒水面に対して均等に撒水することができ、しかも噴霧状に撒水されるのを防止するためにノズル３Ａ，３Ｂの口径を大きくして撒水される水滴を大きくしても、上部および下部揺動ノズルケース２Ａ、２Ｂが左右に揺動されるため、その後面のノズル３Ａ，３Ｂより噴出される撒水は、図７に示すように、被撒水面に対して均等に且つ充分に撒水することができる。
【００１９】
また、上部および下部揺動ノズルケース２Ａ、２Ｂに連結される上下部側ホース４，５の一方側に開閉コック７を設けているため、撒水現場の状況に応じて、開閉コック７によって一方のホース５の流通状態を遮断し、例えば他方の上部揺動ノズルケース２Ａのノズル３Ａのみから撒水することによって撒水量を調整することもできる。
【００２０】
さらには、上部および下部揺動ノズルケース２Ａ、２Ｂは支持ケーシング８および前後部支持ステー９，１０を介して上下に調整可能に形成されているため、上下部揺動ノズルケース２Ａ、２Ｂのノズル３Ａ，３Ｂの向きを撒水現場の条件に合わせて上向きあるいは下向きに調整することができる。
【００２１】
なお、図１において、２５は撒水タンク６の蓋、２６は運転座席、２７はハンドルである。
【００２２】
【発明の効果】
請求項１記載の発明によれば、撒水の際に、揺動ノズルケースは、略水平面内を左右に揺動されるため、その後面のノズルより噴出される撒水は、その水滴がマクロ的に見れば蛇行状に噴出されることになり、これがために被撒水面に対して均等に撒水することができ、しかも噴霧状に撒水されるのを防止するためにノズルの口径を大きくして撒水される水滴を大きくしても、上部および下部揺動ノズルケースが左右に揺動されるため、その後面のノズルより噴出される撒水は、被撒水面に対して均等に且つ充分に撒水することができる。
【００２３】
また本発明によれば、上部揺動ノズルケースと、下部揺動ノズルケースとは、互いに独立して交互に左右に往復揺動することができるため、被撒水面に対してきめ細かく均等に撒水することができる。
【００２４】
また請求項２に記載の発明によれば、撒水現場の状況に応じて、開閉コックによって一方のホースの流通状態を遮断し、他方の揺動ノズルケースのノズルのみから撒水することによって撒水量を調整することもできる。
【００２５】
また請求項３に記載の発明によれば、上下部揺動ノズルケースのノズルの向きを撒水現場の条件に合わせて上向きあるいは下向きに調整することができる。
【図面の簡単な説明】
【図１】本発明の一実施の形態である撒水車の側面図である。
【図２】同平面図である。
【図３】同後面図である。
【図４】同後面に表れる要部拡大図である。
【図５】図４に示す要部の側面図である。
【図６】図４に示す要部の平面図である。
【図７】ノズルより撒水される現象をマクロ的に示す図である。
【符号の説明】
１      車両本体
２      揺動ノズルケース
２Ａ    上部揺動ノズルケース
２Ｂ    下部揺動ノズルケース
３      ノズル
３Ａ    上部ノズル
３Ｂ    下部ノズル
４      上部側ホース
５      下部側ホース
６      撒水タンク
７      開閉コック
８      支持ケーシング
９      前部支持ステー
１０    後部支持ステー
【図１】
0003816165.tif 000002
【図２】
0003816165.tif 000003
【図３】
0003816165.tif 000004
【図４】
0003816165.tif 000005
【図５】
0003816165.tif 000006
【図６】
0003816165.tif 000007
【図７】
0003816165.tif 000008